(57)【要約】  本開示の実施例は、接続制御方法及び機器を提供する。この方法において、緊急サービスのためのネットワーク側機器との間のセッション接続を確立することと、前記ＵＥのローカルの端末開始接続専用モードを非活性化することとを含む。
2021519046.tif 000002
【特許請求の範囲】
【請求項１】
ユーザ機器ＵＥに応用される接続制御方法であって、
緊急サービスのためのネットワーク側機器との間のセッション接続を確立することと、
前記ＵＥのローカルの端末開始接続専用モードを非活性化することとを含む、接続制御方法。
【請求項２】
ネットワーク側機器との間のセッション接続を確立する前に、
端末開始接続専用モードの活性化を要求するための要求メッセージを前記ネットワーク側機器に送信することを更に含む、請求項１に記載の方法。
【請求項３】
ネットワーク側機器との間のセッション接続を確立する前に、
前記ＵＥによる端末開始接続専用モードの活性化要求を前記ネットワーク側機器が受け入れることを指示する受付メッセージを前記ネットワーク側機器から受信することと、
前記ＵＥのローカルの端末開始接続専用モードを活性化することとを更に含む、請求項２に記載の方法。
【請求項４】
前記ネットワーク側機器は、アクセス及びモビリティ管理機能ＡＭＦエンティティである、請求項１〜３のいずれか一項に記載の方法。
【請求項５】
ネットワーク側機器に応用される接続制御方法であって、
緊急サービスのためのＵＥとの間のセッション接続を確立することと、
前記ネットワーク側機器のローカルの端末開始接続専用モードを非活性化することとを含む、接続制御方法。
【請求項６】
ＵＥとの間のセッション接続を確立する前に、
端末開始接続専用モードの活性化を要求するための要求メッセージを前記ＵＥから受信することを更に含む、請求項５に記載の方法。
【請求項７】
ＵＥとの間のセッション接続を確立する前に、
前記ＵＥによる端末開始接続専用モードの活性化要求を前記ネットワーク側機器が受け入れることを指示する受付メッセージを前記ＵＥに送信することと、
前記ネットワーク側機器のローカルの前記端末開始接続専用モードを活性化することとを更に含む、請求項６に記載の方法。
【請求項８】
前記ネットワーク側機器は、アクセス及びモビリティ管理機能ＡＭＦエンティティである、請求項５〜７のいずれか一項に記載の方法。
【請求項９】
ユーザ機器ＵＥであって、
緊急サービスのためのネットワーク側機器との間のセッション接続を確立するための第１確立モジュールと、
前記ＵＥのローカルの端末開始接続専用モードを非活性化するための第１非活性化モジュールとを含む、ユーザ機器ＵＥ。
【請求項１０】
端末開始接続専用モードの活性化を要求するための要求メッセージを前記ネットワーク側機器に送信するための第１送信モジュールを更に含む、請求項９に記載のＵＥ。
【請求項１１】
前記ＵＥによる端末開始接続専用モードの活性化要求を前記ネットワーク側機器が受け入れることを指示する受付メッセージを前記ネットワーク側機器から受信するための第１受信モジュールと、
前記ＵＥのローカルの端末開始接続専用モードを活性化するための第１活性化モジュールとを更に含む、請求項１０に記載のＵＥ。
【請求項１２】
前記ネットワーク側機器は、アクセス及びモビリティ管理機能ＡＭＦエンティティである、請求項９〜１１のいずれか一項に記載のＵＥ。
【請求項１３】
ネットワーク側機器であって、
緊急サービスのためのＵＥとの間のセッション接続を確立するための第２確立モジュールと、
前記ネットワーク側機器のローカルの端末開始接続専用モードを非活性化するための第２非活性化モジュールとを含む、ネットワーク側機器。
【請求項１４】
端末開始接続専用モードの活性化を要求するための要求メッセージを前記ＵＥから受信するための第２受信モジュールを更に含む、請求項１３に記載のネットワーク側機器。
【請求項１５】
前記ＵＥによる端末開始接続専用モードの活性化要求を前記ネットワーク側機器が受け入れることを指示する受付メッセージを前記ＵＥに送信するための第２送信モジュールと、
前記ネットワーク側機器のローカルの前記端末開始接続専用モードを活性化するための第２活性化モジュールとを更に含む、請求項１４に記載のネットワーク側機器。
【請求項１６】
前記ネットワーク側機器は、アクセス及びモビリティ管理機能ＡＭＦエンティティである、請求項１３〜１５のいずれか一項に記載のネットワーク側機器。
【請求項１７】
プロセッサと、メモリと、前記メモリに記憶され、前記プロセッサで動作可能なコンピュータプログラムとを含むユーザ機器であって、
前記コンピュータプログラムが前記プロセッサによって実行されると、請求項１〜４のいずれか一項に記載の接続制御方法のステップが実現される、ユーザ機器。
【請求項１８】
プロセッサと、メモリと、前記メモリに記憶され、前記プロセッサで動作可能なコンピュータプログラムとを含むネットワーク側機器であって、
前記コンピュータプログラムが前記プロセッサによって実行されると、請求項５〜８のいずれか一項に記載の接続制御方法のステップが実現される、ネットワーク側機器。
【請求項１９】
コンピュータプログラムが記憶されているコンピュータ読み取り可能な記憶媒体であって、
前記コンピュータプログラムがプロセッサによって実行されると、請求項１〜４のいずれか一項に記載の接続制御方法のステップが実現される、又は、請求項５〜８のいずれか一項に記載の接続制御方法のステップが実現される、コンピュータ読み取り可能な記憶媒体。
【発明の詳細な説明】
【技術分野】
【０００１】
本願は、２０１８年２月１２日に中国特許庁に提出された中国特許出願２０１８１０１４６８５５．３の優先権を主張し、その全ての内容が援用によりここに取り込まれる。
【０００２】
本開示の実施例は、通信技術分野に係り、特に接続制御方法及び機器に係る。
【背景技術】
【０００３】
ユーザ機器（Ｕｓｅｒ  Ｅｑｕｉｐｍｅｎｔ、ＵＥ）などの端末機器において、端末開始接続専用（Ｍｏｂｉｌｅ  Ｉｎｉｔｉａｔｅｄ  Ｃｏｎｎｅｃｔｉｏｎ  Ｏｎｌｙ、ＭＩＣＯ）モードが活性化（ａｃｔｉｖｅ）されている場合、緊急サービス（ｅｍｅｒｇｅｎｃｙ  ｓｅｒｖｉｃｅ）のプロトコルデータ単位（Ｐｒｏｔｏｃｏｌ  Ｄａｔａ  Ｕｎｉｔ、ＰＤＵ）セッション（ｓｅｓｓｉｏｎ）確立プロセスが完了した後、接続管理接続状態（ＣＭ−ＣＯＮＮＥＣＴＥＤ）状態にあるとき、ＵＥは、ネットワーク側機器との間で明示的シグナリング登録（ｒｅｇｉｓｔｒａｔｉｏｎ）更新プロセス（ｐｒｏｃｅｄｕｒｅ）により、ＭＩＣＯモードの非活性化（ｄｅ−ａｃｔｉｖｅ）をネットワーク側機器と交渉する必要がある。
【０００４】
しかしながら、このようなＭＩＣＯモード非活性化方式は、明示的シグナリングを介したＵＥとネットワーク側機器との間のやり取りを必要とし、シグナリングのやり取り回数の増加により、システムの安定性を低下させる。
【発明の概要】
【発明が解決しようとする課題】
【０００５】
本開示の実施例の１つの目的は、ＵＥとネットワーク側機器との間でシグナリングのやり取りが多く行われることによるシステムの安定性が低いという問題を解決する接続制御方法及び機器を提供することである。
【課題を解決するための手段】
【０００６】
第１方面において、ユーザ機器に応用される接続制御方法を提供する。前記方法において、緊急サービスのためのネットワーク側機器との間のセッション接続を確立することと、前記ＵＥのローカルの端末開始接続専用モードを非活性化することとを含む。
【０００７】
第２方面において、ネットワーク側機器に応用される接続制御方法を更に提供する。前記方法において、緊急サービスのためのＵＥとの間のセッション接続を確立することと、前記ネットワーク側機器のローカルの端末開始接続専用モードを非活性化することとを含む。
【０００８】
第３方面において、緊急サービスのためのネットワーク側機器との間のセッション接続を確立するための第１確立モジュールと、前記ＵＥのローカルの端末開始接続専用モードを非活性化するための第１非活性化モジュールとを含むユーザ機器ＵＥを更に提供する。
【０００９】
第４方面において、緊急サービスのためのＵＥとの間のセッション接続を確立するための第２確立モジュールと、前記ネットワーク側機器のローカルの端末開始接続専用モードを非活性化するための第２非活性化モジュールとを含むネットワーク側機器を更に提供する。
【００１０】
第５方面において、プロセッサと、メモリと、前記メモリに記憶され、前記プロセッサで動作可能なコンピュータプログラムとを含むユーザ機器を更に提供し、前記コンピュータプログラムが前記プロセッサによって実行されると、上記の接続制御方法のステップが実現される。
【００１１】
第６方面において、プロセッサと、メモリと、前記メモリに記憶され、前記プロセッサで動作可能なコンピュータプログラムとを含むネットワーク側機器を更に提供し、前記コンピュータプログラムが前記プロセッサによって実行されると、上記の接続制御方法のステップが実現される。
【００１２】
第７方面において、コンピュータプログラムが記憶されているコンピュータ読み取り可能な記憶媒体を更に提供し、前記コンピュータプログラムがプロセッサによって実行されると、上記の接続制御方法のステップが実現される。
【発明の効果】
【００１３】
このように、緊急サービスセッション接続の確立後、ユーザ機器又はネットワーク側機器は、ネットワーク側機器又はＵＥとの約束に従って、ローカルのＭＩＣＯモードを非活性化し、ユーザ機器とネットワーク側機器との間で明示的シグナリングのやり取りによるＭＩＣＯモードの非活性化を回避し、ユーザ機器とネットワーク側機器との間のシグナリングのやり取り回数を減少させることができ、システムの安定性を向上させることができる。
【００１４】
以下の好適な実施形態の詳細な記載を閲読することによって、ほかの様々な利点や効果は、当業者にとって明らかになる。図面は、好適な実施形態を示すという目的のみに用いられ、本開示に対する限定に見なされない。図面全体において、同一の参照記号で同一の構成要素を示す。
【図面の簡単な説明】
【００１５】
【図１】本開示の実施例の無線通信システムのアーキテクチャを示す図である。
【図２】本開示の実施例の接続制御方法のフローチャートその１である。
【図３】本開示の実施例の接続制御方法のフローチャートその２である。
【図４】本開示の実施例の接続制御方法のフローチャートその３である。
【図５】本開示の実施例の接続制御方法のフローチャートその４である。
【図６】本開示の実施例の接続制御方法のフローチャートその５である。
【図７】本開示の実施例のＵＥの構造図その１である。
【図８】本開示の実施例のネットワーク側機器の構造図である。
【図９】本開示の実施例のＵＥの構造図その２である。
【図１０】本開示の実施例のネットワーク側機器の構造図である。
【発明を実施するための形態】
【００１６】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、本開示の保護範囲に属するものである。
【００１７】
本願の明細書及び特許請求の範囲における「含む」及びそのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んてもよい。また、明細書及び請求項に使用される「及び／又は」は、連結対象のうちの少なくとも１つを示す。例えばＡ及び／又はＢは、Ａのみ、Ｂのみ、及び、ＡとＢの両方の３種類のケースを示す。
【００１８】
本開示の実施例において、「例示的」又は「例えば」などの用語は、例、例証又は説明を示すことに用いられる。本開示の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００１９】
本開示の実施例の技術手段をより理解するために、まず、端末開始接続専用（Ｍｏｂｉｌｅ  Ｉｎｉｔｉａｔｅｄ  Ｃｏｎｎｅｃｔｉｏｎ  Ｏｎｌｙ、ＭＩＣＯ）モードを紹介する。
【００２０】
ＵＥは、ＭＩＣＯモードに対する好み（ｐｒｅｆｅｒｅｎｃｅ）を、初期登録又は登録更新プロセス中にネットワークに指示する。ローカル（ｌｏｃａｌ）設定、利用可能な場合は予測されたＵＥ挙動、ＵＥにより指示された好み、ＵＥ加入情報、ネットワークポリシー又はそれらの任意の組合せに基づいて、アクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）エンティティは、ＵＥがＭＩＣＯモードを使用することを許可されるか否かを決定し、それを登録受付メッセージでＵＥに指示する。ＵＥが、登録受付メッセージにおいて、ネットワークから送信されるＭＩＣＯモード指示を受信できなかった場合、ＡＭＦ及びＵＥは、ＭＩＣＯモードを活性化するべきではない。
【００２１】
ＵＥ及びＡＭＦは、各後続の登録プロセスにおいてＭＩＣＯモードを再交渉する。ＡＭＦは、ＵＥが接続管理（Ｃｏｎｎｅｃｔｉｏｎ  Ｍａｎａｇｅｍｅｎｔ、ＣＭ）−接続（ＣＯＮＮＥＣＴＥＤ）状態にあるとき、ＵＥ設定更新プロセスによって登録更新プロセスをトリガしてＭＩＣＯモードを非活性化する。
【００２２】
ＡＭＦは、登録プロセスにおいて、ＵＥに登録領域を割り当てる。ＡＭＦがＵＥにＭＩＣＯモードを指示する場合、登録領域は、ページング領域サイズに制限されない。ＡＭＦのサービス領域が公衆陸上移動体ネットワーク（Ｐｕｂｌｉｃ  Ｌａｎｄ  Ｍｏｂｉｌｅ  Ｎｅｔｗｏｒｋ、ＰＬＭＮ）全体である場合、ホームポリシー及び契約情報に基づいて、ＵＥに全ＰＬＭＮ登録領域を提供することが決定される。この場合、モビリティ（ｍｏｂｉｌｉｔｙ）により同一のＰＬＭＮに再登録することは適用しない。
【００２３】
ＭＩＣＯモードにおけるＵＥの移動制限については、ＡＭＦは、プロトコルの規定に従ってＵＥに許容領域／非許容領域を割り当てる必要がある。
【００２４】
ＡＭＦがＭＩＣＯモードをＵＥに指示する場合、ＡＭＦにおけるＵＥ  ＣＭ状態がＣＭ−アイドル（ＩＤＬＥ）であると、ＡＭＦは、ＵＥが常に到達可能でないと見なす。ＡＭＦは、ＭＩＣＯモードで任意のＵＥの下りデータ転送要求を拒否し、ＵＥが到達不能状態にあることを示す。ＮＡＳを介した移動下りショートメッセージの場合、ＡＭＦは、ＵＥが到達可能でないことをショートメッセージサービスセンタ（ｓｈｏｒｔ  ｍｅｓｓａｇｅｓ  ｆｕｎｃｔｉｏｎ、ＳＭＳＦ）に通知すると、プロトコルに記載された成功しない下りショートメッセージ伝送のプロセスを実行する。ＡＭＦは、ロケーションサービス等を延期する必要もある。ＭＩＣＯモードにあるＵＥは、ＣＭ−ＣＯＮＮＥＣＴＥＤ状態にあるとき、下り及び上りデータ又はシグナリングに使用される。
【００２５】
ＭＩＣＯモードにあるＵＥは、ＣＭ−ＩＤＬＥの間、ページングをリッスンする必要がない。ＭＩＣＯモードにあるＵＥは、ＣＭ−ＩＤＬＥ状態において、任意のアクセス層（ａｃｃｅｓｓ  ｓｔｒａｔｕｍ）プロセスを停止してもいい。ＵＥは、以下のトリガのいずれかが発生すると、ＭＩＣＯモードを出て、ＣＭ−ＩＤＬＥからＣＭ−ＣＯＮＮＥＣＴＥＤへの遷移を開始する。
（１）ＵＥが変更し（例えば、設定変更）、ネットワークとの間で自身の登録を更新する必要がある。
（２）周期的登録タイマがタイムアウトした。
（３）送信すべき上りデータがある。
（４）送信すべき上りシグナリングがある。
【００２６】
「全ＰＬＭＮ」登録領域ではない登録領域がＭＩＣＯモードでＵＥに割り当てられた場合、ＵＥは、ＭＯ（Ｍｏｂｉｌｅ  ｏｒｉｇｉｎａｔｉｎｇ）データ又はＭＯシグナリングを有するとき、登録領域内にあるか否かを決定し、登録領域内にない場合、登録更新を開始する必要がある。
【００２７】
以下、本開示の実施例について図面を参照して説明する。本開示の実施例による接続制御方法及び機器は、無線通信システムに応用可能である。この無線通信システムは、５Ｇ（５ｔｈ  Ｇｅｎｅｒａｔｉｏｎ）移動体通信技術を採用したシステム（以下、単に５Ｇシステムという）、進化型ロングタームエボリューション（Ｅｖｏｌｖｅｄ  Ｌｏｎｇ  Ｔｅｒｍ  Ｅｖｏｌｕｔｉｏｎ、ｅＬＴＥ）システム、又は後続のエボリューション通信システムである。図１を参照すると、本開示の実施例による無線通信システムのアーキテクチャを示す図である。図１に示すように、この無線通信システムは、ネットワーク側機器１０とユーザ機器を含む。例えばユーザ機器をＵＥ１１とする。ＵＥ１１は、ネットワーク側機器１０と通信可能である。実際の応用では、上記各機器間の接続は、無線接続でもよいが、各機器間の接続関係を直感的に示す便宜上、図１では実線で示している。
【００２８】
なお、上述した通信システムは、複数のＵＥを含んでもよい。ネットワーク側機器は、複数のＵＥと通信（シグナリング又はデータ伝送）することができる。本開示の実施例によるネットワーク側機器は、ＡＭＦエンティティなどの機器である。
【００２９】
本開示の実施例によるユーザ機器は、携帯電話、タブレットパソコン、ノートパソコン、ウルトラ・モバイル・パーソナル・コンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック、又は携帯情報端末（Ｐｅｒｓｏｎａｌ  Ｄｉｇｉｔａｌ  Ａｓｓｉｓｔａｎｔ、ＰＤＡ）などである。
【００３０】
図２を参照すると、本開示の実施例による接続制御方法のフローが示されている。この方法の実行主体は、ＵＥであり、具体的なステップは、以下の通りである。
【００３１】
ステップ２０１において、ネットワーク側機器との間のセッション接続を確立する。
【００３２】
本開示の実施例において、このセッション接続は、緊急サービス（Ｅｍｅｒｇｅｎｃｙ  Ｓｅｒｖｉｃｅｓ  ）のために用いられる。このセッション接続は、プロトコルデータ単位（Ｐｒｏｔｏｃｏｌ  Ｄａｔａ  Ｕｎｉｔ、ＰＤＵ）セッション（ｓｅｓｓｉｏｎ）接続であってもよい。
【００３３】
本開示の実施例において、ネットワーク側機器は、アクセス及びモビリティ管理機能であってもよく、もちろんこれに限定されない。
【００３４】
ステップ２０２において、ＵＥのローカルの端末開始接続専用（Ｍｏｂｉｌｅ  Ｉｎｉｔｉａｔｅｄ  Ｃｏｎｎｅｃｔｉｏｎ  Ｏｎｌｙ、ＭＩＣＯ）モードを非活性化する。
【００３５】
このように、緊急サービスセッション接続の確立後、前回の登録プロセスでＭＩＣＯモードの活性化を交渉した場合、ＵＥは、ネットワーク側機器との約束に従って、ＭＩＣＯモードを非活性化し、ＵＥとネットワーク側機器との間で明示的シグナリングのやり取りによるＭＩＣＯモードの非活性化を回避し、ＵＥとネットワーク側機器との間のシグナリングのやり取り回数を減少させ、システムの安定性を向上させる。
【００３６】
図３を参照すると、本開示の実施例による別の接続制御方法のフローが示されている。この方法の実行主体は、ＵＥであり、具体的なステップは、以下の通りである。
【００３７】
ステップ３０１において、ネットワーク側機器へ要求メッセージを送信する。
【００３８】
本開示の実施例において、要求メッセージは、端末開始接続専用モードの活性化を要求するために用いられる。
【００３９】
本開示の実施例において、ネットワーク側機器は、ＡＭＦであってもよいが、もちろんこれに限定されるものではない。
【００４０】
ステップ３０２において、ネットワーク側機器から送信された受付メッセージを受信する。
【００４１】
本開示の実施例において、受付メッセージは、端末開始接続専用の指示情報（又はＭＩＣＯ指示情報と呼ばれる）を含む。この指示情報は、ＵＥによる端末開始接続専用の活性化要求をネットワーク側機器が受け入れることを指示する。
【００４２】
ステップ３０３において、前記ＵＥのローカルの端末開始接続専用モードを活性化する。
【００４３】
本開示の実施例において、ステップ３０２及びステップ３０３における登録プロセスによってＭＩＣＯモードの活性化を交渉する。
【００４４】
ステップ３０４において、ネットワーク側機器との間のセッション接続を確立する。
【００４５】
本開示の実施例において、セッション接続は、緊急サービスに用いられる。選択可能に、このセッション接続は、プロトコルデータ単位のセッション接続であってもよい。
【００４６】
ステップ３０５において、ＵＥのローカルの端末開始接続専用モードを非活性化する。
【００４７】
このように、緊急サービスセッション接続の確立後、前回の登録プロセスでＭＩＣＯモードの活性化を交渉した場合、ＵＥは、ネットワーク側機器との約束に従って、ＭＩＣＯモードを非活性化し、ＵＥとネットワーク側機器との間で明示的シグナリングのやり取りによるＭＩＣＯモードの非活性化を回避し、ＵＥとネットワーク側機器との間のシグナリングのやり取り回数を減少させ、システムの安定性を向上させる。
【００４８】
図４を参照し、本開示の実施例による接続制御方法のフローが示されている。この方法の実行主体は、ネットワーク側機器であり、例えば、ネットワーク側機器は、ＡＭＦであり、具体的なステップは、以下の通りである。
【００４９】
ステップ４０１において、ＵＥとの間のセッション接続を確立する。
【００５０】
本開示の実施例において、セッション接続は、緊急サービスに用いられる。選択可能に、このセッション接続は、プロトコルデータ単位のセッション接続であってもよい。
【００５１】
ステップ４０２において、ネットワーク側機器のローカルの端末開始接続専用モードを非活性化する。
【００５２】
このように、緊急サービスセッション接続の確立後、前回の登録プロセスでＭＩＣＯモードの活性化を交渉した場合、ネットワーク側機器は、ＵＥとの約束に従って、ＭＩＣＯモードを非活性化し、ＵＥとネットワーク側機器との間で明示的シグナリングのやり取りによるＭＩＣＯモードの非活性化を回避し、ＵＥとネットワーク側機器との間のシグナリングのやり取り回数を減少させ、システムの安定性を向上させる。
【００５３】
図５を参照し、本開示の実施例による別の接続制御方法のフローが示されている。この方法の実行主体は、ネットワーク側機器であり、例えば、ネットワーク側機器は、ＡＭＦであり、具体的なステップは、以下の通りである。
【００５４】
ステップ５０１において、ＵＥから送信された要求メッセージを受信する。前記要求メッセージは、端末開始接続専用モードの活性化を要求するために用いられる。
【００５５】
ステップ５０２において、ＵＥに受付メッセージを送信する。
【００５６】
本開示の実施例において、受付メッセージは、端末開始接続専用の指示情報（ＭＩＣＯ  Ｉｎｄｉｃａｔｉｏｎ）を含む。この指示情報は、ＵＥによる端末開始接続専用の活性化要求をネットワーク側機器が受け入れることを指示する。
【００５７】
ステップ５０３において、前記ネットワーク側機器のローカルの端末開始接続専用モードを活性化する。
【００５８】
ステップ５０４において、ＵＥとの間のセッション接続を確立する。
【００５９】
本開示の実施例において、セッション接続は、緊急サービスに用いられる。
【００６０】
ステップ５０５において、ネットワーク側機器のローカルの端末開始接続専用モードを非活性化する。
【００６１】
このように、緊急サービスセッション接続の確立後、前回の登録プロセスでＭＩＣＯモードの活性化を交渉した場合、ネットワーク側機器は、ＵＥとの約束に従って、ＭＩＣＯモードを非活性化し、ＵＥとネットワーク側機器との間で明示的シグナリングのやり取りによるＭＩＣＯモードの非活性化を回避し、ＵＥとネットワーク側機器との間のシグナリングのやり取り回数を減少させ、システムの安定性を向上させる。
【００６２】
図６を参照し、本開示の実施例による別の接続制御方法のフローが示されており、具体的なステップは、以下の通りである。
【００６３】
ステップ６０１において、ＵＥは、ＭＩＣＯモードの活性化を要求する登録要求メッセージをアクセス及びモビリティ管理機能に送信する。
【００６４】
ステップ６０２において、アクセス及びモビリティ管理機能は、ＵＥに登録受付メッセージを送信し、ユーザ機器によるＭＩＣＯモード活性化要求を受け入れる。
【００６５】
ステップ６０１とステップ６０２は、ユーザ機器とアクセス及びモビリティ管理機能が登録プロセス中にＭＩＣＯモードの交渉を行い、ＵＥがアクセス及びモビリティ管理機能からＭＩＣＯ指示を含む登録受付メッセージを受信した後にＭＩＣＯモードの交渉が成功し、ＵＥとアクセス及びモビリティ管理機能がともにＭＩＣＯモードを活性化する。
【００６６】
ステップ６０３において、ユーザ機器とアクセス及びモビリティ管理機能は、緊急サービスのＰＤＵセッション接続を確立する。
【００６７】
ステップ６０４において、ＵＥは、緊急サービスのＰＤＵセッション接続を確立した後、ローカルでＭＩＣＯモードを非活性化する。
【００６８】
ステップ６０５において、アクセス及びモビリティ管理機能は、緊急サービスのＰＤＵセッション接続が確立された後、そのユーザ機器のローカルに対してＭＩＣＯモードを非活性化する。
【００６９】
このように、緊急サービスセッション接続の確立後、前回の登録プロセスでＭＩＣＯモードの活性化を交渉した場合、ネットワーク側機器は、ＵＥとの約束に従って、ＭＩＣＯモードを非活性化し、ＵＥとネットワーク側機器との間で明示的シグナリングのやり取りによるＭＩＣＯモードの非活性化を回避し、ＵＥとネットワーク側機器との間のシグナリングのやり取り回数を減少させ、システムの安定性を向上させる。
【００７０】
図７を参照し、本開示の実施例によるＵＥ７００の構造が示されている。このＵＥ７００は、緊急サービスのためのネットワーク側機器との間のセッション接続を確立するための第１確立モジュール７０１と、ＵＥのローカルの端末開始接続専用モードを非活性化するための第１非活性化モジュール７０２とを含む。
【００７１】
引き続き図７を参照し、本開示の実施例において、選択可能に、ＵＥ７００は、端末開始接続専用モードの活性化を要求するための要求メッセージをネットワーク側機器に送信するための第１送信モジュール７０３を更に含む。
【００７２】
引き続き図７を参照し、本開示の実施例において、選択可能に、ＵＥ７００は、前記ＵＥによる端末開始接続専用モードの活性化要求を前記ネットワーク側機器が受け入れることを指示する受付メッセージをネットワーク側機器から受信するための第１受信モジュール７０４と、前記ＵＥのローカルの端末開始接続専用モードを活性化するための第１活性化モジュール７０５とを更に含む。
【００７３】
本開示の実施例において、ネットワーク側機器は、ＡＭＦである。
【００７４】
本開示の実施例によるＵＥは、上記の方法実施例を実行可能であり、その実現の原理及び技術効果が類似しているため、本実施例において繰り返して記載しない。
【００７５】
図８を参照し、本開示の実施例によるネットワーク側機器８００の構造が示されている。このネットワーク側機器８００は、緊急サービスのためのＵＥとの間のセッション接続を確立するための第２確立モジュール８０１と、ネットワーク側機器のローカルの端末開始接続専用モードを非活性化するための第２非活性化モジュール８０２とを含む。
【００７６】
引き続き図８を参照し、本開示の実施例において、選択可能に、このネットワーク側機器８００は、端末開始接続専用モードの活性化を要求するための要求メッセージを前記ＵＥから受信するための第２受信モジュール８０３を更に含む。
【００７７】
引き続き図８を参照し、選択可能に、このネットワーク側機器８００は、前記ＵＥによる端末開始接続専用モードの活性化要求を前記ネットワーク側機器が受け入れることを指示する受付メッセージをＵＥに送信するための第２送信モジュール８０４と、前記ネットワーク側機器のローカルの端末開始接続専用モードを活性化するための第２活性化モジュール８０５とを更に含む。
【００７８】
本開示の実施例において、ネットワーク側機器は、ＡＭＦである。
【００７９】
本開示の実施例によるネットワーク側機器は、上記の方法実施例を実行可能であり、その実現の原理及び技術効果が類似しているため、本実施例において繰り返して記載しない。
【００８０】
図９に示すように、図９に示すＵＥ９００は、少なくとも１つのプロセッサ９０１と、メモリ９０２と、少なくとも１つのネットワークインタフェース９０４と、ユーザインタフェース９０３を含む。ＵＥ９００における各構成部品は、バスシステム９０５を介して結合される。バスシステム９０５は、これらの構成部品の間の接続と通信に用いられることが理解できる。バスシステム９０５は、データバスのほかに、電源バス、制御バス及び状態信号バスを更に含む。ただし、明確に説明するために、図９において、各種類のバスをすべてバスシステム９０５として標記している。
【００８１】
ここで、ユーザインタフェース９０３は、ディスプレイ、キーボード又はポインティングデバイス（たとえばマウス、トラックボール（ｔｒａｃｋ  ｂａｌｌ））、タッチパネル又はタッチスクリーンなどを含む。
【００８２】
本開示の実施例におけるメモリ９０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ９０２は、これらに限られず、これら及びこれら以外の任意の適合する種類のメモリを含むとする。
【００８３】
一部実施例において、メモリ９０２には、実行可能なモジュール又はデータ構造、又はそれらのサブセット、又は、それらの拡張セットであるオペレーションシステム９０２１とアプリケーションプログラム９０２２が記憶されている。
【００８４】
ここで、オペレーションシステム９０２１は、フレーム層、コアライブラリ層、駆動層など各種類のシステムプログラムを含み、各種類のベーシックサービスの実現及びハードウェアに基づくタスクの処理に用いられる。アプリケーションプログラム９０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム９０２２に含まれる。
【００８５】
本開示の実施例において、メモリ９０２に保存されているプログラム又は指令を呼び出し、具体的に、アプリケーションプログラム９０２２に保存されているプログラム又は指令を呼び出して実行することによって、緊急サービスのためのネットワーク側機器との間のセッション接続を確立するステップと、前記ＵＥのローカルの端末開始接続専用モードを非活性化するステップとが実現される。
【００８６】
本開示の実施例によるＵＥは、上記の方法実施例を実行可能であり、その実現の原理及び技術効果が類似しているため、本実施例において繰り返して記載しない。
【００８７】
図１０を参照する。図１０は、本開示の実施例に応用されるネットワーク側機器の構造図である。図１０に示すように、ネットワーク側機器１０００は、プロセッサ１００１と、トランシーバ１００２と、メモリ１００３と、バスインタフェースとを含む。ここで、本開示の実施例において、ネットワーク側機器１０００は、メモリ１００３に記憶され、プロセッサ１００１で動作可能なコンピュータプログラムを更に含む。コンピュータプログラムがプロセッサ１００１によって実行されると、緊急サービスのためのＵＥとの間のセッション接続を確立するステップと、ネットワーク側機器のローカルの端末開始接続専用モードを非活性化するステップとが実現される。
【００８８】
図１０において、バスアーキテクチャは、任意数の相互接続するバスとブリッジを含み、具体的に、プロセッサ１００１をはじめとする１つ又は複数のプロセッサとメモリ１００３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１００２は、複数の部品であってもよく、即ち送信機と受信機を含み、伝送媒体でほかの各種類の装置と通信するユニットとして提供される。
【００８９】
プロセッサ１００１は、バスアーキテクチャと通常の処理を管理する。メモリ１００３は、プロセッサ１００１による操作実行に使用されるデータを記憶できる。
【００９０】
本開示の実施例によるネットワーク側機器は、上記の方法実施例を実行可能であり、その実現の原理及び技術効果が類似しているため、本実施例において繰り返して記載しない。
【００９１】
本開示の開示内容と関連付けて記載した方法又はアルゴリズムのステップは、ハードウェアの方式で実現されてもよく、プロセッサでソフトウェア指令を実行する方式で実現されてもよい。ソフトウェア指令は、対応するソフトウェアモジュールで構成される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスク又は本分野で周知されているあらゆる形式の記憶媒体に位置する。例示的な記憶媒体は、プロセッサに結合される。よって、プロセッサは、当該記憶媒体から情報を読み取り、かつ当該記憶媒体に情報を書き込むことができる。もちろん、記憶媒体は、プロセッサの構成部分であってもよい。プロセッサと記憶媒体は、ＡＳＩＣに位置してもよい。また、当該ＡＳＩＣは、コアネットワークインタフェース機器に位置してもよい。もちろん、プロセッサと記憶媒体は、分離構成としてコアネットワークインタフェース機器に位置してもよい。
【００９２】
上記の１つ又は複数の例において、本開示に記載の機能がハードウェア、ソフトウェア、ファームウェア又はそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つ又は複数の指令又はコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用又は特殊用途向けのコンピュータによってアクセス可能なあらゆる利用可能な媒体である。
【００９３】
以上に記載した具体的な実施形態によって、本開示の目的、技術手段及び効果をさらなる詳細な説明をした。なお、以上の記載は、本開示の具体的な実施形態に過ぎず、本開示の保護範囲を限定するためのものではない。本開示の技術手段を基に為したあらゆる修正、均等置換及び改良などは、すべて本開示の保護範囲に含まれるべきである。
【００９４】
本開示の一部実施例が、方法、装置、又はコンピュータプログラム製品として提供できることは、当業者には理解される。従って、本開示の一部実施例は、完全なハードウェア実施例、完全なソフトウェア実施例、又はソフトウェアとハードウェアを組み合わせた実施例の形態を採用できる。更に、本開示の一部実施例は、コンピュータ使用可能プログラムコードを含む１つ又は複数のコンピュータ使用可能記憶媒体（磁気ディスクメモリ、ＣＤ−ＲＯＭ、光学メモリなどを含むが、それに限られない）で実施されるコンピュータプログラム製品の形態を採用できる。
【００９５】
本開示の一部実施例は、本開示の一部実施例による方法、端末機器（システム）、及びコンピュータプログラム製品のフローチャート及び／又はブロック図を参照して説明される。フローチャート及び／又はブロック図の各フロー及び／又はブロック、並びにフローチャート及び／又はブロック図におけるフロー及び／又はブロックの組み合わせは、コンピュータプログラム命令によって実現されることが理解される。これらのコンピュータプログラム命令は、汎用コンピュータ、専用コンピュータ、組み込みプロセッサ、又は他のプログラム可能なデータ処理端末機器のプロセッサに提供されて、マシンを生成し、コンピュータ又は他のプログラム可能なデータ処理端末機器のプロセッサによって実行される命令が、フローチャートの１つのフロー若しくは複数のフロー及び／又はブロック図の１つのブロック若しくは複数のブロックにおいて指定される機能を実現するための手段を生成するようにしてもよい。
【００９６】
これらのコンピュータプログラム命令は、コンピュータ又は他のプログラム可能なデータ処理端末機器に特定の方法で機能するように指示することができるコンピュータ可読メモリに記憶されてもよく、その結果、コンピュータ可読メモリに記憶された命令は、フローチャートの１つ若しくは複数の流れ、及び／又はブロック図の１つ若しくは複数のブロックにおいて指定された機能を実現する命令手段を含む製品を生成する。
【００９７】
これらのコンピュータプログラム命令は、コンピュータ又は他のプログラム可能な端末機器上で一連の動作ステップを実行してコンピュータ実現プロセスを生成し、それにより、コンピュータ又は他のプログラム可能な端末機器上で実行される命令が、フローチャートの１つのフロー若しくは複数のフロー及び／又はブロック図の１つのブロック若しくは複数のブロックにおいて指定される機能を実現するためのステップを提供するように、コンピュータ又は他のプログラム可能なデータ処理端末機器上にロードされてもよい。
【００９８】
明らかに、当業者は、本開示の精神や範囲を逸脱せずに、本開示に対して様々な変更や変形をすることができる。このように、本開示のこれらの修正や変形が本開示の請求項及びその同等の技術範囲に含まれるものであれば、本開示は、これらの変更や変形を含むことを意図とする。
【符号の説明】
【００９９】
１０  ネットワーク側機器
１１  ＵＥ
７００  ＵＥ
７０１  第１確立モジュール
７０２  第１非活性化モジュール
７０３  第１送信モジュール
７０４  第１受信モジュール
７０５  第１活性化モジュール
８００  ネットワーク側機器
８０１  第２確立モジュール
８０２  第２非活性化モジュール
８０３  第２受信モジュール
８０４  第２送信モジュール
８０５  第２活性化モジュール
９００  ＵＥ
９０１  プロセッサ
９０２  メモリ
９０２１  オペレーションシステム
９０２２  アプリケーションプログラム
９０３  ユーザインタフェース
９０４  ネットワークインタフェース
９０５  バスシステム
１０００  ネットワーク側機器
１００１  プロセッサ
１００２  トランシーバ
１００３  メモリ
【図１】
2021519046.tif 000003
【図２】
2021519046.tif 000004
【図３】
2021519046.tif 000005
【図４】
2021519046.tif 000006
【図５】
2021519046.tif 000007
【図６】
2021519046.tif 000008
【図７】
2021519046.tif 000009
【図８】
2021519046.tif 000010
【図９】
2021519046.tif 000011
【図１０】
2021519046.tif 000012
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
ユーザ機器ＵＥに応用される接続制御方法であって、
緊急サービスのためのネットワーク側機器との間のセッション接続を確立することと、
前記ＵＥのローカルの端末開始接続専用モードを非活性化することとを含む、接続制御方法。
【請求項２】
ネットワーク側機器との間のセッション接続を確立する前に、
端末開始接続専用モードの活性化を要求するための要求メッセージを前記ネットワーク側機器に送信することを更に含む、請求項１に記載の方法。
【請求項３】
ネットワーク側機器との間のセッション接続を確立する前に、
前記ＵＥによる端末開始接続専用モードの活性化要求を前記ネットワーク側機器が受け入れることを指示する受付メッセージを前記ネットワーク側機器から受信することと、
前記ＵＥのローカルの端末開始接続専用モードを活性化することとを更に含む、請求項２に記載の方法。
【請求項４】
前記ネットワーク側機器は、アクセス及びモビリティ管理機能ＡＭＦエンティティである、請求項１〜３のいずれか一項に記載の方法。
【請求項５】
ネットワーク側機器に応用される接続制御方法であって、
緊急サービスのためのＵＥとの間のセッション接続を確立することと、
前記ネットワーク側機器のローカルの端末開始接続専用モードを非活性化することとを含む、接続制御方法。
【請求項６】
ＵＥとの間のセッション接続を確立する前に、
端末開始接続専用モードの活性化を要求するための要求メッセージを前記ＵＥから受信することを更に含む、請求項５に記載の方法。
【請求項７】
ＵＥとの間のセッション接続を確立する前に、
前記ＵＥによる端末開始接続専用モードの活性化要求を前記ネットワーク側機器が受け入れることを指示する受付メッセージを前記ＵＥに送信することと、
前記ネットワーク側機器のローカルの前記端末開始接続専用モードを活性化することとを更に含む、請求項６に記載の方法。
【請求項８】
前記ネットワーク側機器は、アクセス及びモビリティ管理機能ＡＭＦエンティティである、請求項５〜７のいずれか一項に記載の方法。
【請求項９】
ユーザ機器ＵＥであって、
緊急サービスのためのネットワーク側機器との間のセッション接続を確立するための第１確立モジュールと、
前記ＵＥのローカルの端末開始接続専用モードを非活性化するための第１非活性化モジュールとを含む、ユーザ機器ＵＥ。
【請求項１０】
端末開始接続専用モードの活性化を要求するための要求メッセージを前記ネットワーク側機器に送信するための第１送信モジュールを更に含む、請求項９に記載のＵＥ。
【請求項１１】
前記ＵＥによる端末開始接続専用モードの活性化要求を前記ネットワーク側機器が受け入れることを指示する受付メッセージを前記ネットワーク側機器から受信するための第１受信モジュールと、
前記ＵＥのローカルの端末開始接続専用モードを活性化するための第１活性化モジュールとを更に含む、請求項１０に記載のＵＥ。
【請求項１２】
前記ネットワーク側機器は、アクセス及びモビリティ管理機能ＡＭＦエンティティである、請求項９〜１１のいずれか一項に記載のＵＥ。
【請求項１３】
ネットワーク側機器であって、
緊急サービスのためのＵＥとの間のセッション接続を確立するための第２確立モジュールと、
前記ネットワーク側機器のローカルの端末開始接続専用モードを非活性化するための第２非活性化モジュールとを含む、ネットワーク側機器。
【請求項１４】
端末開始接続専用モードの活性化を要求するための要求メッセージを前記ＵＥから受信するための第２受信モジュールを更に含む、請求項１３に記載のネットワーク側機器。
【請求項１５】
前記ＵＥによる端末開始接続専用モードの活性化要求を前記ネットワーク側機器が受け入れることを指示する受付メッセージを前記ＵＥに送信するための第２送信モジュールと、
前記ネットワーク側機器のローカルの前記端末開始接続専用モードを活性化するための第２活性化モジュールとを更に含む、請求項１４に記載のネットワーク側機器。
【国際調査報告】
2021519046.tif 000013
2021519046.tif 000014
2021519046.tif 000015
2021519046.tif 000016